(57)【特許請求の範囲】
【請求項１】
（ａ）セット中のオーディオ記録媒体に記録されたオーディオ記録データを読出し自在のオーディオ記録データ読出し部（１１）、
（ｂ）再生指示に基づきその再生指示の再生開始位置としての第１の再生開始位置から再生進行方向へ前記オーディオ記録データ読出し部（１１）にオーディオ記録媒体のオーディオ記録データを読出させて前記オーディオ記録データ読出し部（１１）の読出しデータ信号より読出しデータ信号のエンコード形式を検出するエンコード形式検出手段（１４）、
（ｃ）前記エンコード形式検出手段（１４）がエンコード形式を検出した後、再び前記第１の再生開始位置から再生進行方向へ前記オーディオ記録データ読出し部（１１）にオーディオ記録媒体のオーディオ記録データを読出させてその読出しデータ信号を前記エンコード形式検出手段（１４）の検出のエンコード形式に対応のデコード形式でデコードするデコード手段（２０）、及び
（ｄ）前記デコード手段（２０）の出力に基づいて音への変換前の電気信号としての再生音信号を生成する再生音信号生成手段（２０）、
を有していることを特徴とするオーディオ信号処理装置。
【請求項２】
再生指示の時点から前記デコード手段（２０）によるデコード開始まで再生音の出力についてミュートを実施するミュート手段を有していることを特徴とする請求項１記載のオーディオ信号処理装置。
【請求項３】
（ａ）オーディオ記録媒体がセットされるとそのオーディオ記録媒体についてＴＯＣ情報を読出すとともにセット中はオーディオ記録媒体のオーディオ記録データを読出し自在となっているオーディオ記録データ読出し部（１１）、
（ｂ）オーディオ記録データ読出し部（１１）がセット中のオーディオ記録媒体のオーディオ記録データを読出して生成した読出しデータ信号から読出しデータ信号のエンコード形式を検出するエンコード形式検出手段（１４）、
（ｃ）セットされて前記オーディオ記録データ読出し部（１１）によるＴＯＣ情報の読出し及び前記エンコード形式検出手段（１４）によるエンコード形式の検出を行われたオーディオ記録媒体についてはそのＴＯＣ情報とエンコード形式とを対応付けてアンセット後も記憶する記憶手段、
（ｄ）オーディオ記録データ読出し部（１１）がオーディオ記録媒体について読出したＴＯＣ情報が前記記憶手段に記憶中のＴＯＣ情報の中にあるか否かを調べもしあればそのあったＴＯＣ情報に対応付けられているエンコード形式を探知するエンコード形式探知手段、
（ｅ）セット中のオーディオ記録媒体についての再生指示に対して前記エンコード形式探知手段により探知されたエンコード形式に対応のデコード形式で前記オーディオ記録データ読出し部（１１）の読出しデータ信号をデコードするデコード手段（２０）、
（ｆ）前記デコード手段（２０）の出力に基づいて音への変換前の電気信号としての再生音信号を生成する再生音信号生成手段（２０）、及び
（ｇ）オーディオ記録媒体がセットされた際にそのオーディオ記録媒体について前記オーディオ記録データ読出し部（１１）の読出しによるＴＯＣ情報が前記記憶手段に記憶中のＴＯＣ情報としてあるか否かを調べ、もしなければそのオーディオ記録媒体について再生指示のあったとき、その再生指示の再生開始位置としての第１の再生開始位置から再生進行方向へ前記オーディオ記録データ読出し部（１１）にオーディオ記録媒体のオーディオ記録データを読出させて、前記オーディオ記録データ読出し部（１１）の読出しデータ信号より読出しデータ信号のエンコード形式を前記エンコード形式検出手段（１４）に検出させ、前記エンコード形式検出手段（１４）がエンコード形式を検出した後、再び前記第１の再生開始位置から再生進行方向へ前記オーディオ記録データ読出し部（１１）にオーディオ記録媒体のオーディオ記録データを読出させてその読出しデータ信号を前記エンコード形式検出手段（１４）の検出によるエンコード形式に対応のデコード形式で前記デコード手段（２０）にデコードさせるデコード手段制御手段を有していることを特徴とするオーディオ信号処理装置。
【請求項４】
オーディオ記録媒体がセットされた際にそのオーディオ記録媒体について前記オーディオ記録データ読出し部（１１）により読出したＴＯＣ情報が前記記憶手段に記憶中のＴＯＣ情報としてあるか否かを探知し、もしなければそのオーディオ記録媒体のオーディオ記録データのエンコード形式を前記エンコード形式検出手段（１４）に検出させてそのオーディオ記録媒体についてのＴＯＣ情報とエンコード形式とを対応付けて前記記憶手段に記憶させる記憶指示手段、を有していることを特徴とする請求項３記載のオーディオ信号処理装置。
【請求項５】
再生指示時の前記デコード手段制御手段による前記エンコード形式検出手段（１４）へのエンコード形式の検出は、前記記憶指示手段による前記エンコード形式検出手段（１４）へのエンコード形式の検出を兼ねることを特徴とする請求項３記載のオーディオ信号処理装置。
【請求項６】
前記記憶手段は、ＴＯＣ情報及びエンコード形式の対応関係を記憶残量減のために記憶できなくなったときは、最後のセットが最も過去となっている光ディスクについてのエンコード形式とＴＯＣ情報とを対応付けの記憶を消去してから新規のＴＯＣ情報及びエンコード形式の対応付けを記憶するようになっていることを特徴とする請求項３〜５のいずれかに記載のオーディオ信号処理装置。
【請求項７】
再生指示時の再生開始位置からは複数のエンコード形式での再生が可能となるように、オーディオ記録データを記録しているオーディオ記録媒体について、ユーザがどの種のオーディオ記録データかを定めない再生指示では、予め設定しておいた再生優先順位１番のオーディオ記録データについて再生を行うように、設定することを特徴とする請求項１〜６のいずれかに記載のオーディオ信号処理装置。
【請求項８】
前記エンコード形式検出手段（１４）はソース機器（１２）に装備され、前記デコード手段（２０）はレシーバ（１１）に装備され、前記ソース機器（１２）及び前記レシーバ（１１）は相互に通信可能になっていることを特徴とする請求項１〜７のいずれかに記載のオーディオ信号処理装置。
【発明の詳細な説明】
【０００１】
【発明の属する技術分野】
この発明は、ＤＶＤ等のオーディオ記録媒体を再生するオーディオ信号処理装置に係り、詳しくはオーディオ記録媒体におけるオーディオ記録データのエンコード形式に応じて対応のデコード形式を自動的に選択するようにしたオーディオ信号処理装置に関するものである。
【０００２】
【従来の技術】
ＤＶＤやＶＣＤにおけるオーディオ記録データのエンコード形式としては、ＰＣＭ、ＤＴＳ、ＭＰＥＧ、及びＡＣ−３等、種々あり、オーディオを再生する場合は、エンコード形式に合ったデコード形式によりデコードする必要がある。
【０００３】
従来のオーディオ信号処理装置のデコード形式の設定を自動で行う場合には、再生指示に伴い、光ディスクのオーディオ記録データを読出し、その読出しデータ信号のオーディオ記録データからオーディオ記録データのエンコード形式を検出して、そのエンコード形式に対応のデコード形式へデコーダにおけるデコード形式を切替えるようになっている。
【０００４】
【発明が解決しようとする課題】
従来のオーディオ信号処理装置では、再生開始後、オーディオ記録データのエンコード形式を検出して、検出したエンコード形式に対応のデコード形式へデコーダのデコード形式へ切替えて、デコード開始するまでに、時間を要し、再生初期のオーディオの音の再生が間に合わない、いわゆる頭切れの問題が生じている。再生指示の前に、ユーザがデコーダのデコード形式を手動で設定する場合には、再生しようとする光ディスクにおけるエンコード形式を調べるのに手間がかかる。
【０００５】
この発明の目的は、上述の問題点を克服するオーディオ信号処理装置を提供することである。
【０００６】
【課題を解決するための手段】
この発明のオーディオ信号処理装置(10)は次の（ａ）〜（ｄ）を有している。
（ａ）セット中のオーディオ記録媒体に記録されたオーディオ記録データを読出し自在のオーディオ記録データ読出し部(11)
（ｂ）再生指示に基づきその再生指示の再生開始位置としての第１の再生開始位置から再生進行方向へオーディオ記録データ読出し部(11)にオーディオ記録媒体のオーディオ記録データを読出させてオーディオ記録データ読出し部(11)の読出しデータ信号より読出しデータ信号のエンコード形式を検出するエンコード形式検出手段(14)
（ｃ）エンコード形式検出手段(14)がエンコード形式を検出した後、再び第１の再生開始位置から再生進行方向へオーディオ記録データ読出し部(11)にオーディオ記録媒体のオーディオ記録データを読出させてその読出しデータ信号をエンコード形式検出手段(14)の検出のエンコード形式に対応のデコード形式でデコードするデコード手段(20)
（ｄ）デコード手段(20)の出力に基づいて音への変換前の電気信号としての再生音信号を生成する再生音信号生成手段(20)
【０００７】
オーディオ記録媒体には、ＤＶＤやＣＶＤ等の光ディスクだけでなく、光ディスク以外のオーディオ記録媒体（例：テープ）を含むものとする。オーディオ記録媒体は、（ａ）ビデオデータは記録されておらず、オーディオデータのみ記録されているものであってもよいし、（ｂ）オーディオデータと共にビデオデータも記録されているものであってもよい。したがって、オーディオ信号処理装置(10)は、オーディオシステム内の一部として適用されても、ＡＶ（オーディオ＆ビデオ）システム内の一部として適用されてもよい。再生には、再生単独の場合も、ダビング等の録音のために再生する場合も含むものとする。すなわち、再生音信号生成手段(20)の生成した再生音信号は、スピーカ等の音出力手段へ出力されることに限定されず、録音機や、録音部を含む録画機等へ出力される場合も含まれる。
【０００８】
このように、オーディオ記録データ読出し部(11)が、オーディオ記録媒体からのオーディオ記録データの読出しにより生成した読出しデータ信号より読出しデータ信号のエンコード形式を検出して、そのエンコード形式に対応のデコード形式へデコード手段(20)のデコード形式を切替えてから、再び、第１の再生開始位置へ戻って、オーディオの再生を行うようになっているので、頭切れを起こすことなく、第１の再生開始位置からのオーディオを再生することができる。
【０００９】
この発明のオーディオ信号処理装置(10)は、再生指示の時点からデコード手段(20)によるデコード開始まで再生音の出力についてミュートを実施するミュート手段を有している。
【００１０】
ミュートの実施により不要な音がスピーカ等の音出力手段や録音部等へ出力されるのを防止できる。なお、オーディオ信号処理装置(10)がＡＶシステムの一部として適用されている場合は、オーディオの出力のミュート中は、ビデオの出力もミュートするのが好ましいが（好ましくは、ミュート中は、モニタに”ミュート中”の表示を行う。）、ビデオのミュートは限定されない。
【００１１】
この発明のオーディオ信号処理装置(10)は次の（ａ）〜（ｆ）を有している。
（ａ）オーディオ記録媒体がセットされるとそのオーディオ記録媒体についてＴＯＣ情報を読出すとともにセット中はオーディオ記録媒体のオーディオ記録データを読出し自在となっているオーディオ記録データ読出し部(11)
（ｂ）オーディオ記録データ読出し部(11)がセット中のオーディオ記録媒体のオーディオ記録データを読出して生成した読出しデータ信号から読出しデータ信号のエンコード形式を検出するエンコード形式検出手段(14)
（ｃ）セットされてオーディオ記録データ読出し部(11)によるＴＯＣ情報の読出し及びエンコード形式検出手段(14)によるエンコード形式の検出を行われたオーディオ記録媒体についてはそのＴＯＣ情報とエンコード形式とを対応付けてアンセット後も記憶する記憶手段
（ｄ）オーディオ記録データ読出し部(11)がオーディオ記録媒体について読出したＴＯＣ情報が記憶手段に記憶中のＴＯＣ情報の中にあるか否かを調べもしあればそのあったＴＯＣ情報に対応付けられているエンコード形式を探知するエンコード形式探知手段
（ｅ）セット中のオーディオ記録媒体についての再生指示に対してエンコード形式探知手段により探知されたエンコード形式に対応のデコード形式でオーディオ記録データ読出し部(11)の読出しデータ信号をデコードするデコード手段(20)
（ｆ）デコード手段(20)の出力に基づいて音への変換前の電気信号としての再生音信号を生成する再生音信号生成手段(20)
【００１２】
こうして、一度セットされて、そのＴＯＣ情報及びエンコード形式が対応付けられて記憶手段に記憶されたオーディオ記録媒体については、次回のセット時では、記憶手段の記憶に基づいてエンコード形式が求められ、そのエンコード形式に対応のデコード形式へデコード手段(20)のデコード形式が設定されて、再生が行われるので、頭切れを回避しつつ、再生を行うことができる。
【００１３】
この発明のオーディオ信号処理装置(10)は、オーディオ記録媒体がセットされた際にそのオーディオ記録媒体についてオーディオ記録データ読出し部(11)により読出したＴＯＣ情報が記憶手段に記憶中のＴＯＣ情報としてあるか否かを探知し、もしなければそのオーディオ記録媒体のオーディオ記録データのエンコード形式をエンコード形式検出手段(14)に検出させてそのオーディオ記録媒体についてのＴＯＣ情報とエンコード形式とを対応付けて記憶手段に記憶させる記憶指示手段を有している。
【００１４】
オーディオ記録データ読出し部(11)により読出したＴＯＣ情報が記憶手段に記憶中のＴＯＣ情報の中にあるか否かを調べても、ないときとは、例えば、オーディオ信号処理装置(10)に今回セットされたオーディオ記録媒体が、そのオーディオ信号処理装置(10)に過去に１度もセットされたことがなく、今回のセットが初めてである場合である。また、記憶手段の記憶容量に制限があり、最近にセットされたオーディオ記録媒体についてのＴＯＣ情報及びエンコード形式の記憶を優先するために、大分、過去にのみセットされたオーディオ記録媒体についてのＴＯＣ情報及びエンコード形式の記憶を消去するようになっているオーディオ信号処理装置(10)では、すでにＴＯＣ情報を消去されてしまったオーディオ記録媒体を久しぶりにセットしたときに起こり得る。セット開始時では、ＴＯＣ情報が記憶手段に記憶されていなくても、セット中、記憶指示手段により記憶手段にＴＯＣ情報及びエンコード形式が記憶手段に一度、記憶されると、それ以降の再生指示に対しては、直ちに正しいデコード形式でデコードすることができる。
【００１５】
この発明のオーディオ信号処理装置(10)はデコード手段制御手段を有している。このデコード手段制御手段は、オーディオ記録媒体がセットされた際にそのオーディオ記録媒体についてオーディオ記録データ読出し部(11)の読出しによるＴＯＣ情報が記憶手段に記憶中のＴＯＣ情報としてあるか否かを調べ、もしなければそのオーディオ記録媒体について再生指示のあったとき、その再生指示の再生開始位置としての第１の再生開始位置から再生進行方向へオーディオ記録データ読出し部(11)にオーディオ記録媒体のオーディオ記録データを読出させて、オーディオ記録データ読出し部(11)の読出しデータ信号より読出しデータ信号のエンコード形式をエンコード形式検出手段(14)に検出させ、エンコード形式検出手段(14)がエンコード形式を検出した後、再び第１の再生開始位置から再生進行方向へオーディオ記録データ読出し部(11)にオーディオ記録媒体のオーディオ記録データを読出させてその読出しデータ信号をエンコード形式検出手段(14)の検出によるエンコード形式に対応のデコード形式でデコード手段(20)にデコードさせる。
【００１６】
こうして、記憶手段にＴＯＣ情報及びエンコード形式が対応付けられて記憶されていないオーディオ記録媒体について、再生する場合にも、頭切れを起こすことなく、第１の再生開始位置から再生することができる。
【００１７】
この発明のオーディオ信号処理装置(10)によれば、再生指示時のデコード手段制御手段によるエンコード形式検出手段(14)へのエンコード形式の検出は、記憶指示手段によるエンコード形式検出手段(14)へのエンコード形式の検出を兼ねる。
【００１８】
記憶指示手段は、再生指示時のデコード手段制御手段によるエンコード形式検出手段(14)へのエンコード形式の検出指示によるエンコード形式の検出を利用して、エンコード形式を検出するので、検出処理が合理化される。
【００１９】
この発明のオーディオ信号処理装置(10)によれば、記憶手段は、ＴＯＣ情報及びエンコード形式の対応関係を記憶残量減のために記憶できなくなったときは、最後のセットが最も過去となっている光ディスクについてのエンコード形式とＴＯＣ情報とを対応付けの記憶を消去してから新規のＴＯＣ情報及びエンコード形式の対応付けを記憶するようになっている。
【００２０】
最後のセットが最も過去となっている光ディスクについてのＴＯＣ情報及びエンコード形式がどれかを知るためには、ＴＯＣ情報及びエンコード形式と共にセット履歴等を記憶手段に記憶する必要がある。ユーザの好みのオーディオ記録媒体程、最近にオーディオ信号処理装置(10)にセットされる傾向がある。したがって、最近にセットされたオーディオ記録媒体のＴＯＣ情報及びエンコード形式を優先して、記憶手段に記憶することにより、記憶手段に記憶しているＴＯＣ情報の中に、今回にセットされたオーディオ記録媒体についてのものが見当たらない事態を抑制することができる。
【００２１】
最後のセットが最も過去となっている光ディスクについてのエンコード形式とＴＯＣ情報とを対応付けの記憶を消去する代わりに、最近の所定期間における各オーディオ記録媒体についてのセット回数を記憶しておくようにしておき、セット回数の少ないオーディオ記録媒体についてのＴＯＣ情報及びエンコード形式の記憶を消去して、今回のオーディオ記録媒体についてのＴＯＣ情報及びエンコード形式の記憶を確保するようにしてもよい。
【００２２】
この発明のオーディオ信号処理装置(10)によれば、再生指示時の再生開始位置からは複数のエンコード形式での再生が可能となるように、オーディオ記録データを記録しているオーディオ記録媒体について、ユーザがどの種のオーディオ記録データかを定めない再生指示では、予め設定しておいた再生優先順位１番のオーディオ記録データについて再生を行うように、設定する。
【００２３】
ＤＶＤ等の光ディスクでは、所定の再生範囲ではオーディオ記録データが複数個のエンコード形式でその場合、再生指示のあったとき、デコード手段(20)においてデコード形式を設定するオーディオ記録データはどれかが定まらないと、再生処理が進行しないので、予め設定しておいた再生優先順位１番のオーディオ記録データについて、再生を行うものとする。したがって、エンコード形式検出手段(14)によるエンコード形式の検出や、記憶手段へのエンコード形式の記憶も、再生優先順位１番のオーディオ記録データに係るものについて再生優先順位１番のオーディオ記録データとは、ユーザが特に決めて入ないときは、例えば、デフォルトのオーディオ記録データや、前回の再生指示の時に選択されたオーディオ記録データとする。こうして、ユーザがどの種のオーディオ記録データかを定めない再生指示に対しても、ユーザの好みに適合するエンコード形式のオーディオを頭切れ無しに再生できることになる。
【００２４】
この発明のオーディオ信号処理装置(10)によれば、エンコード形式検出手段(14)はソース機器(12)に装備され、デコード手段(20)はレシーバ(11)に装備され、ソース機器(12)及びレシーバ(11)は相互に通信可能になっている。
【００２５】
【発明の実施の形態】
以下、発明の実施の形態について図面を参照して説明する。
図１はＡＶシステム10の主要部ブロック図である。レシーバ11及びソース機器12は、共にホストマイコン13，14を備え、ホストマイコン13，14は、相互にコードを送受信自在になっている。ソース機器12には、ＤＶＤやＣＶＤ等の種々の光ディスクがセット自在となっており、ソース機器12は、セット中の光ディスクに記録されているオーディオ記録データを読出し自在になっている。ソース機器12は、また、光ディスクをセット開始時に光ディスクのＴＯＣ情報を読出して、メモリ（以下、このメモリを「ＴＯＣ情報用メモリ」と言う。）に記憶するようになっている。
【００２６】
図２はレシーバ11のブロック図である。ＡＤ変換器18は、テーププレーヤ（図示せず）等のアナログソース機器から左右チャネルのアナログ信号を入力され、それらをディジタル信号へ変換する。ＤＩＲ19（Ｄｉｇｉｔａｌ  Ｉｎｔｅｒｆａｃｅ  Ｒｅｇｉｓｔｅｒ）は、ＤＶＤプレーヤ等のホストマイコン14から送られてくるディジタル信号を入力される。ＤＳＰ20は、ＡＤ変換器18及びＤＩＲ19からのディジタル信号を入力される。ＤＳＰ20は、ＰＣＭ、ＤＴＳ、ＭＰＥＧ、及びＡＣ−３（ＤＯＬＢＹ  ＤＩＧＩＴＡＬの中のＡｕｄｉｏ  Ｃｏｄｉｎｇ）のデコーダを兼ねる。ホストマイコン13は、ＤＩＲ19からディジタル信号を送られ、そのディジタル信号が、ＰＣＭ、ＤＴＳ、ＭＰＥＧ、及びＡＣ−３のいずれであるかを検出し、検出結果に基づいてＤＳＰ20におけるデコード形式を切替える。ＤＳＰ20の出力は、３個のＤＡ変換器21，22，23へ送られて、アナログ信号へ変換され、ＤＡ変換器21の出力は前方左右のスピーカへそれぞれ送られ、ＤＡ変換器22の出力は前方中央のセンタースピーカとサブウーハとへ送られ、ＤＡ変換器23の出力は後方左右のスピーカへそれぞれ送られる。
【００２７】
図２では、光ディスクのエンコード形式がＰＣＭ、ＤＴＳ、ＭＰＥＧ、及びＡＣ−３のいずれであるかをレシーバ11のホストマイコン13において検出するようにしているが、ソース機器12のホストマイコン14において検出して、検出結果をホストマイコン14からホストマイコン13へ通知するようにしてもよい。その場合、ホストマイコン13は、メモリ（図示せず。）を備え、それをＴＯＣ情報用メモリ及び後述のＴＯＣ−エンコード形式対応情報用メモリとして利用することになる。
【００２８】
図３はＡＶシステム10における再生処理のフローチャートである。Ｓ３０では、ユーザがリモコンにおいてメニュー再生により再生を指示する。ユーザがリモコンにおいて、再生モードボタンを押すと、ＡＶシステム10のモニタ（図示せず）には、メインメニューが表示される。メニューは階層構造となっており、ユーザの選択によりメインメニューから順次下層のサブメニューへ移行し、それ以上、下層へ進めない選択肢に突き当たると、その選択肢に対応する場面を再生開始位置としてビデオ及びオーディオの再生が開始される。このように、メニュー画面を介して選択された場面から再生することを”メニュー再生”と呼ぶことにする。Ｓ３１では、レシーバ11のホストマイコン13からソース機器12のホストマイコン14へメニュー再生指示（再生開始位置も含むことになる。）が所定のコードで送信される。Ｓ３２では、スピーカ（図示せず）やモニタをミュートするとともに、ソース機器12は、現在セット中の光ディスクについてそのオーディオ記録データを再生開始位置（以下、再生指示により再生を始める再生開始位置を「第１の再生開始位置」と言う。）より再生進行方向へ読出す。ＤＶＤでは、第１の再生開始位置によってはＰＣＭ、ＤＴＳ、ＭＰＥＧ、及びＡＣ−３等、種々のエンコード形式の中のとれかで再生が行われるようになっていることがあり、ユーザによるエンコード形式の選択がなかったときは、デフォルトのエンコード形式における再生の進行が行われ、それに対応のオーディオ記録データが光ディスクより読出される。また、予めの設定によっては、前回の再生で選択されているエンコード形式で引き続き、再生の進行が行われ、それに対応のオーディオ記録データが光ディスクより読出される。Ｓ３３では、その読出しデータ信号からエンコード形式をソース機器12のホストマイコン14において検出し、検出したオーディオ記録データをレシーバ11のホストマイコン13へ通知する。Ｓ３４では、レシーバ11のホストマイコン13が、ソース機器12のホストマイコン14から通知されたエンコード形式に対応のデコード形式にＤＳＰ20のデコード形式を切替える。Ｓ３５では、スピーカ及びモニタのミュートを解除するとともに、Ｓ３３における切替終了の旨をレシーバ11のホストマイコン13からソース機器12のホストマイコン14へ通知する。Ｓ３６では、ソース機器12は、第１の再生開始位置へ戻って、再生を開始する。すなわち、ソース機器12において光ディスクのオーディオ記録データを第１の再生開始位置より読出して、それをレシーバ11へ送り、オーディオ記録データはレシーバ11のＤＳＰ20においてデコードされ、スピーカより再生音が出力される。
【００２９】
図４はＡＶシステム10における別の再生処理のフローチャートである。図３の処理の前提として、ソース機器12は、光ディスクをセットされると直ちにその光ディスクのＴＯＣ情報を読出し、ＴＯＣ情報用メモリに記憶することになっている。また、過去においてソース機器12にセットされた光ディスクについてＴＯＣ情報及びそのエンコード形式は、対応付けられて、ソース機器12の所定のメモリ（以下、このメモリ「ＴＯＣ−エンコード形式対応情報用メモリ」と言う。）に記憶されている。Ｓ４０では、メニュー再生が指示される。Ｓ４１では、現在セット中の光ディスクのＴＯＣ情報と一致するＴＯＣ情報がＴＯＣ−エンコード形式対応情報用メモリに存在するか否かを判定し、判定がＹｅｓであれば、Ｓ４２へ進み、Ｎｏであれば、Ｓ４５へ進む。Ｓ４２では、現在セット中の光ディスクのＴＯＣ情報と一致するＴＯＣ−エンコード形式対応情報用メモリのＴＯＣ情報に対応付けられているエンコード形式を求め、それをソース機器12のホストマイコン14からレシーバ11のホストマイコン13へ通知する。Ｓ４３では、レシーバ11のホストマイコン13は、ソース機器12のホストマイコン14より通知を受けたエンコード形式に対応のデコード形式へＤＳＰ20のデコード形式を切替える。Ｓ４４では、ソース機器12は第１の再生開始位置から再生を開始する。すなわち、ソース機器12において光ディスクのオーディオ記録データを第１の再生開始位置より読出して、それをレシーバ11へ送り、オーディオ記録データはレシーバ11のＤＳＰ20においてデコードされ、スピーカより再生音が出力される。Ｓ４５では、ソース機器12において第１の再生開始位置から光ディスクのオーディオ記録データを読出していく。Ｓ４６では、読出しデータ信号よりエンコード形式を検出し、その検出したエンコード形式をレシーバ11のホストマイコン14へ通知し、レシーバ11のＤＳＰ20のデコード形式を通知デコード形式へ切替えさせる。さらに、検出したエンコード形式とＴＯＣ情報用メモリのＴＯＣ情報とを対応付けてレシーバ11のＴＯＣ−エンコード形式対応情報用メモリに記憶する。なお、このとき、ＴＯＣ−エンコード形式対応情報用メモリの残量が少なく、今回の光ディスクについてのエンコード形式とＴＯＣ情報とを対応付けがＴＯＣ−エンコード形式対応情報用メモリに記録できないときは、最後のセットが最も過去となっている光ディスクについてのエンコード形式とＴＯＣ情報との記録を消去し、その消去により空いたメモリ領域に今回のエンコード形式とＴＯＣ情報とを対応付けて記録する。Ｓ４７では、レシーバ11のホストマイコン14がＤＳＰ20のデコード形式を、ソース機器12ののホストマイコン13より通知のあったものへ切替える。
【００３０】
図４のＳ４２〜Ｓ４４の進行では、第１の再生開始位置の再生開始前に、レシーバ11のＤＳＰ20は、ソース機器12からの読出しデータ信号に対応のデコード形式へ切替えられているので、頭切れは生じないが、Ｓ４５〜Ｓ４７の進行では、レシーバ11のＤＳＰ20が、ソース機器12の出力する読出しデータ信号のエンコード形式に対応のデコード形式へ切替えられるまで、時間が要するので頭切れが生じる。そこで、その改良型として次の図５のものがある。
【００３１】
図５は図４の一部のステップを変更したＡＶシステム10における再生処理のフローチャートである。図５のフローチャートでは、図４のＳ４５を図３のＳ３２に置き換えられる。また、起きかえられる。代替させてあるとともに、図４のＳ４７は図３のＳ３４〜Ｓ３６に置き換えられる。こうして、Ｓ４１の判定がＮｏとなったときにも、頭切れなく、第１の再生開始位置からの再生音を出力できる。
【図面の簡単な説明】
【図１】ＡＶシステムの主要部ブロック図である。
【図２】レシーバのブロック図である。
【図３】ＡＶシステムにおける再生処理のフローチャートである。
【図４】ＡＶシステムにおける別の再生処理のフローチャートである。
【図５】図４の一部のステップを変更したＡＶシステムにおける再生処理のフローチャートである。
【符号の説明】
１０    ＡＶシステム（オーディオ信号処理装置）
１１    レシーバ（オーディオ記録データ読出し部）
１２    ソース機器
１３    ホストマイコン（エンコード形式検出手段）
１４    ホストマイコン（記憶指示手段）
２０    ＤＳＰ（デコード手段）
【図１】
0003676600.tif 000002
【図２】
0003676600.tif 000003
【図３】
0003676600.tif 000004
【図４】
0003676600.tif 000005
【図５】
0003676600.tif 000006